(57)【特許請求の範囲】
【請求項１】
ベースと、該ベースの一面に形成されたピーク部及び谷部よりなる多数の光学パターンとを含み、バックライトから出射された光をパネルに供給する光学フィルムにおいて、
前記光学パターンのピッチとピーク部の高さ及び谷部の深さが不規則であり、前記光学パターンは、前記ピーク部と谷部が平面的及び側面的に不規則に屈曲された非直線非対称形の配列構造になるように配列しており、
前記光学パターンは前記ピーク部の頂点から30％以内の高さ領域に欠陥補正構造を有し、前記欠陥補正構造は平面的及び側面的に不規則に屈曲されたピーク部と谷部を有し、
前記欠陥補正構造は前記光学パターンの長さ方向に沿って継続的に延在していることを特徴とする光学フィルム。
【請求項２】
前記欠陥補正構造の前記ピーク部と谷部は非直線非対称形の配列構造になるように配列していることを特徴とする請求項１に記載の光学フィルム。
【請求項３】
前記光学パターンの前記谷部は欠陥補正構造を有し、前記欠陥補正構造は平面的及び側面的に不規則に屈曲されたピーク部と谷部を有することを特徴とする請求項１に記載の光学フィルム。
【請求項４】
前記マイクロレンズパターンは、突出形状または凹設形状を有することを特徴とする請求項３に記載の光学フィルム。
【請求項５】
前記マイクロレンズパターンの円弧半径と相互間隔及び突出高さまたは凹設深さは、規則的または不規則的であることを特徴とする請求項４に記載の光学フィルム。
【請求項６】
前記光学パターンが形成されたベースの表面の反対面に形成され、入射光に対して光学的散乱作用を誘導する散乱構造をさらに含むことを特徴とする請求項１に記載の光学フィルム。
【請求項７】
散乱構造は、部分円弧状の光学的断面を有する散乱パターンであって、各散乱パターンは、平面投映時に、円形に形成される部分球形状（エムボシング形状）を有し、平面から見る時、一定の間隔または不規則な間隔をもって分布していることを特徴とする請求項６に記載の光学フィルム。
【請求項８】
ベースに形成され、入射光に対して光学的拡散作用を誘導する拡散構造をさらに含むことを特徴とする請求項１に記載の光学フィルム。
【請求項９】
拡散構造は、ベース内に分散され、入射光に対して光学的拡散作用を誘導する多数の拡散粒子であることを特徴とする請求項８に記載の光学フィルム。
【請求項１０】
拡散構造は、拡散粒子を含む拡散粒子層であり、
ベースは、第１光学層及び光学パターンが形成される第２光学層の積層構造よりなり、第１光学層と第２光学層との間に拡散粒子層が位置することを特徴とする請求項８に記載の光学フィルム。
【請求項１１】
拡散粒子は、透明固体粒子であるアクリル粒子、スチレン粒子、シリコン粒子、合成シリカ、ガラスビーズ、ダイヤモンド、白色粒子である酸化チタニウム、酸化亜鉛、硫酸バリウム、炭酸カルシウム、炭酸マグネシウム、水酸化アルミニウム、クレイまたはフィルム内に形成された気泡のうちいずれか１つであることを特徴とする請求項９または１０に記載の光学フィルム。
【請求項１２】
面光源と、
前記面光源の上部領域に設けられるパネルと、
前記面光源と前記パネルとの間に配置され、前記面光源から伝達される光を前記パネルに集光屈折させる、請求項１乃至１１のいずれかに記載の光学フィルムと、を含む照明装置。
【発明の詳細な説明】
【技術分野】
【０００１】
本発明は、光学フィルム及びこれを含む照明装置に関し、より詳細には、光学パターンを非直線非対称形及び不規則構造で形成し、モアレ現象の発生を防止すると共に、耐磨耗性が向上し、傷付け及びスクラッチなどの光学的欠陥が発生しても、目視で観察されず、浸潤現象を防止することができると共に、視野角を拡大することかできるように光学的性能を改善した光学フィルム及びこれを含む照明装置に関する。
【背景技術】
【０００２】
携帯電話、ノートパソコン、ＬＣＤモニター、平面テレビなどに広く用いられるディスプレイ装置は、バックライトユニットから伝達される光を利用してパネル素子に映像をディスプレイする。
【０００３】
ディスプレイ装置のバックライトユニットは、光を発散する光源と、光源から発散された光を面光源に出射させる導光板と、導光板から出射された光をパネル素子に集光屈折させる少なくとも１つの光学フィルムとを含む。
【０００４】
これらのうち光学フィルムは、導光板から出射された光を集光屈折させて、パネル素子に向けるようにして、パネル素子の全領域において均一な輝度の映像が表示されることができるようにする。このために、光学フィルムの板面には、光を集光屈折させるための光学パターンが形成される。一般的に、光学フィルムは、多数の光学パターンが一定の形態の断面構造を有し、互いに一定の間隔をもって直線形に配列されている構造を有している。
【０００５】
しかしながら、このような従来の光学フィルムは、光学パターンが一定の断面構造とピッチをもって線形配列されているので、パネル素子のピクセル配列との光学的結合によってモアレ現象が発生することができる。
【０００６】
一方、モアレ現象発生の問題点を解決するための光学フィルムが、特許文献１、特許文献２及び特許文献３に開示されている。
【０００７】
図１に示されたような特許文献１に開示された光学フィルム１においては、その一面に光学パターン１−１のピーク部が非直線形の配列構造を有するように形成されていて、モアレ現象の発生が抑制される。
【０００８】
図２に示されたような 特許文献２に開示された光学フィルム２においては、その一面に光学パターン２−１がピッチＰ１、Ｐ２、Ｐ３が不規則な状態に配置されていて、モアレ現象の発生を防止するようにした。この際、光学パターン２−１のピーク部の高さｔ１及びｔ２及び谷部の深さＤ１及びＤ２は、不規則なピッチによって光学パターン２−１ごとに異なる高さと深さを有することができる。
【０００９】
特許文献３に開示された光学フィルム３が図３に示されている。図３に示された光学フィルム３の一面に形成されたプリズムパターン３−１は、曲がりくねった形状を有するように形成されていて、モアレ現象の発生が防止される。
【００１０】
このような従来の光学フィルムのうち、特許文献１に開示された光学フィルム１の場合、ピーク部での非直線形配列を除いて、光学パターン１−１の谷部が直線形に配列されていて、各光学パターン１−１のピーク部の高さ、谷部の深さ及び角度などの残りの光学的構造が規則的なので、規則的な構造的要素によってモアレ現象が発生することができる。
【００１１】
特に、各光学パターンの両方の光学面（すなわち、ピーク部から谷部にわたって形成される面）は、谷部の領域に隣接するほど対称を成し、その結果として、このような構造は、モアレ現象発生の原因になる。
【００１２】
また特許文献２に開示された光学フィルム２においては、光学パターン２−１が線形配列されている光学的構造によってモアレ現象発生の問題点が発生する。
【先行技術文献】
【特許文献】
【００１３】
【特許文献１】米国特許第６、３５４、７０９号明細書
【特許文献２】米国特許第５、９１９、５５１号明細書
【特許文献３】大韓民国特許公開第１０−２００７−００８４４１０号公報
【発明の概要】
【発明が解決しようとする課題】
【００１４】
したがって、本発明の目的は、モアレ現象の発生を基本的に防止することができる光学フィルム及びこれを含む照明装置を提供することにある。
【００１５】
また、本発明の他の目的は、耐磨耗性が向上し、傷付け及びスクラッチなどの光学的欠陥が発生しても、目視で観察されず、浸潤形状を防止することができると共に、視野角を拡大することができる光学フィルム及びこれを含む照明装置を提供することにある。
【課題を解決するための手段】
【００１６】
上記目的を達成するために、本発明によるバックライトから出射された光をパネルに供給する光学フィルムは、ベースと、該ベースの一面に形成されたピーク部及び谷部よりなる多数の光学パターンとを含む。ここで、光学パターンのピッチとピーク部の高さ及び谷部の深さが不規則であり、光学パターンは、前記ピーク部及び谷部が平面的及び側面的に不規則に屈曲された非直線非対称形の配列構造になるように配列しており、前記光学パターンは前記ピーク部の頂点から30％以内の高さ領域に欠陥補正構造を有し、前記欠陥補正構造は平面的及び側面的に不規則に屈曲されたピーク部と谷部を有し、前記欠陥補正構造は前記光学パターンの長さ方向に沿って継続的に延在している。
【００１７】
ここで、前記欠陥補正構造の前記ピーク部と谷部は非直線非対称形の配列構造になるように配列していても良い。
【００１８】
また、各光学パターンの前記谷部は欠陥補正構造を有し、前記欠陥補正構造は平面的及び側面的に不規則に屈曲されたピーク部と谷部を有することができる。
【００１９】
本発明による光学フィルムは、光学パターンの下部領域に形成され、円弧形状の光学的断面を有する多数のマイクロレンズパターンをさらに含む。
【００２０】
また、本発明による光学フィルムは、光学パターンが形成されたベースの表面の反対面に形成され、入射光に対して光学的散乱作用を誘導する散乱構造をさらに含むことができる。
【００２１】
ここで、散乱構造は、部分円弧状の光学的断面を有する散乱パターンであって、各散乱パターンは、平面投映時に円形に形成される部分球形状（エムボシング形状）を有し、平面視において、一定の間隔または不規則な間隔をもって分布する。
【００２２】
また、本発明による光学フィルムは、ベースに形成され、入射光に対して光学的拡散作用を誘導する拡散構造をさらに含むことができる。
【００２３】
ここで、拡散構造は、ベース内に分散され、入射光に対して光学的拡散作用を誘導する多数の拡散粒子であることができる。
【００２４】
また、拡散構造は、拡散粒子を含む拡散粒子層であり、この際、ベースは、第１光学層及び光学パターンが形成される第２光学層の積層構造よりなり、第１光学層と第２光学層との間に拡散粒子層が位する。
【００２５】
拡散構造を形成する拡散粒子は、透明固体粒子であるアクリル粒子、スチレン粒子、シリコン粒子、合成シリカ、ガラスビーズ、ダイヤモンド、白色粒子である酸化チタニウム、酸化亜鉛、硫酸バリウム、炭酸カルシウム、炭酸マグネシウム、水酸化アルミニウム、クレイまたはフィルム内に形成された気泡のうちいずれか１つであることが好ましい。
【００２６】
一方、本発明による照明装置は、面光源と、該面光源の上部領域に設けられるパネルと、面光源とパネルとの間に配置され、面光源から伝達される光をパネルに集光屈折させる光学フィルムとを含み、光学フィルムは、本発明による構造を有する光学フィルムが利用される。
【発明の効果】
【００２７】
このような本発明による光学フィルム及びこれを含む照明装置は、モアレ現象の発生を基本的に防止することができ、向上した耐磨耗性を有し、傷付け及びスクラッチなどの光学的欠陥が発生しても、目視で観察されず、浸潤現象を防止することができると共に、視野角が拡大されることができる光学フィルム及びこれを含む照明装置が提供される。
【図面の簡単な説明】
【００２８】
図１は、一般的な光学フィルムの斜視図である。
図２及び図３は、一般的な他の光学フィルムの断面図及び斜視図である。
図４は、本発明の第１実施例による光学フィルムの斜視図である。
図５は、図４に示された光学フィルムの正断面図である。
図６乃至図１０は、図４に示された光学フィルムの平面構造及び側面構造の多様な例を示す図である。
図１１は、本発明の第２実施例による光学フィルムの斜視図である。
図１２は、図１１に示された光学フィルムの正断面図である。
図１３及び図１４は、本発明の第３実施例による光学フィルムの部分斜視図である。
図１５は、本発明の第４実施例による光学フィルムの斜視図である。
図１６は、図１５に示された光学フィルムの正断面図である。
図１７及び図１８は、本発明の第５実施例による光学フィルムの正断面図である。
図１９乃至図２１は、本発明の第６実施例による光学フィルムの部分斜視図である。
図２２乃至図２４は、本発明の第６実施例の他の例を示す光学フィルムの断面図である。
【発明を実施するための形態】
【００２９】
以下、本発明による光学フィルム及びこれを含む照明装置を添付の図面を参照して詳しく説明する。
【００３０】
図４は、本発明の第１実施例による光学フィルムの斜視図であり、図５は、図４に示された光学フィルムの正断面図である。
【００３１】
図示したように、本実施例による光学フィルム１０は、ベース１１の少なくともいずれか一面に入射光に対して一連の光学的作用を起こして出射させる多数の光学パターン１２が形成されている構造を有している。
【００３２】
ベース１１は、可視光域で光が円滑に透過され得る光透過性材料で製造され、例えば、ポリカーボネート、ＰＶＣ、ＰＰ、ＰＥ、ＰＳ、ＰＥＴ、アクリル系ポリマーのうちいずれか１つからなることができる。
【００３３】
また、ピーク部及び谷部よりなる光学パターン１２は、ベース１１の少なくとも一面に一体に形成されてもよい。他の方法としては、ベース１１を構成する材料のうちいずれか１つの材料でシートを形成し、このシートの表面に光学パターン１２を成形した後、ベース１１のいずれか一面にシートを付着してもよい。
【００３４】
この際、ベース１１を形成する材料と光学パターン１２が形成されたシートを形成する材料は、光学フィルム１０の製造条件などの諸条件によって同一であるか、または異なる材料であってもよい。
【００３５】
一方、光学パターン１２は、三角形状の光学的断面を有し、ベース１１の一面に不規則な断面形状、平面及び側面構造が非直線対称形構造を有するように形成される。
【００３６】
ここで、光学パターン１２は、不規則なピッチＰ１、Ｐ２、Ｐ３を有するように形成され、各光学パターン１２は、互いに異なるピーク部の高さｔ１、ｔ２と谷部の深さｄ１、ｄ２を有するように形成されている。また、各光学パターン１２のピーク部の両面が成すパターン角度θも、互いに異なる値を有する。
【００３７】
図６乃至図１０は、図４に示された光学フィルムの平面構造及び側面構造の多様な例を示す図であり、不規則な非直線非対称形の配列構造で配置された各光学パターン１２は、平面投映時に、その長さ方向に沿って左右ジグザグ形状の屈曲された形状を有し、その屈曲された角度θ１は、２゜乃至４０゜範囲内に設定されることができる。
【００３８】
また、不規則な非直線非対称形の配列構造で配置された各光学パターン１２は、側面投映時に、長さ方向に沿って上下に屈曲された形状を有し、その屈曲された角度θ２は、３゜乃至３０゜範囲に設定されることができる。
【００３９】
この際、屈曲された非直線非対称形の配列構造で配置された各光学パターン１２は、側面構造及び平面構造が、前述のような屈曲角度θ１、θ２の範囲で図６乃至図９に示されたように、正弦波形状、三角波形状、ガウス波形状のうちいずれか１つであることができ、これらのうち少なくとも２つの形状が混合した形状を有することができる。
【００４０】
また、非直線非対称形の配列構造で配置された各光学パターン１２は、図１０に示されたように、四角波形状の側面構造及び平面構造を有することができる。
【００４１】
また、正弦波、三角波、ガウス波、四角波などの側面構造及び平面構造を有する、屈曲された非直線非対称形の配列構造で配置された光学パターン１２は、デューティーサイクルが１：９乃至９：１であることが好ましい。
【００４２】
このデューティーサイクル比は、非直線非対称形の配列構造の非周期性を付与し、モアレ現象発生の防止効果をさらに増加させるためのものである。
【００４３】
このような光学パターン１２の構造は、規則的な構造的要素を完全に排除し、入射光に対する不規則な集光屈折などの光学的作用を誘導することによって、出射光を散乱させる。
【００４４】
これにより、ストリップパターン現象などのモアレ形状の発生原因を基本的に防止することができるようになる。したがって、光学フィルム１０とディスプレイ装置のパネル素子間の光学的結合状態で光学パターン１２とピクセル配列の結合によるモアレ現象が発生しない。
【００４５】
また、出射光の拡散及び散乱作用によって光の屈折角度が大きく形成されることによって、広い領域に光が拡散し、ディスプレイ装置の視野角が拡大される。
【００４６】
また、製造過程及び他の部品との光学的結合過程で光学フィルムに傷付けやスクラッチなどの光学的欠陥が発生しても、出射光の拡散及び散乱作用によって光学的欠陥が目視で確認されない。
【００４７】
図１１は、本発明の第２実施例による光学フィルムの斜視図であり、図１２は、図１１に示された光学フィルム正断面図である。
【００４８】
図示のように、本第２実施例による光学フィルム２０は、ベース２１の一表面に形成された光学パターン２２の光学的断面構造を除いた光学パターン２２間のピッチ、ピーク部の高さ、谷部の深さ及び非直線非対称形の配列構造などの光学的構造が前述のような第１実施例による光学フィルム１０と同一である。
【００４９】
本実施例による光学フィルム２０の光学パターン２２は、円弧状の光学的断面を有し、この際、光学パターン２２のパターン曲律Ｒは、互いに異なる値を有することが好ましい。
【００５０】
このような光学パターン２２の構造は、前述のような第１実施例による光学フィルム１０と同様に、光学パターン２２の規則的な構造的要素を完全に排除し、モアレ現象の発生を防止すると共に、円弧状の光学的断面構造による出射光の出射角の拡大を誘導し、パネル素子の視野角を増加させる。
【００５１】
また、光学パターン２２で光が集光屈折及び拡散散乱されることによって、隣接の光学部品との光学的結合時に発生し得る浸潤現象を防止すると共に、視野角の拡大効果を提供する。
【００５２】
図１３及び図１４は、本発明の第３実施例による光学フィルムの部分斜視図である。図示のように、本第３実施例による光学フィルム３０も、ベース３１と、ベース３１の一面に形成された多数の光学パターン３２とを含む。
【００５３】
本実施例による光学フィルム３０は、光学パターン３２のピーク部または谷部に形成された欠陥補正構造３３を除いて、光学パターン３２間のピッチ、ピーク部の高さと谷部の深さ及び非直線非対称形の配列構造などの光学的構造が、前述のような第１実施例による光学フィルム１０と同一である。
【００５４】
第３実施例による光学フィルム３０の光学パターン３２に形成された欠陥補正構造３３は、光学パターン３２のピーク部の頂点から、または谷部の頂点から３０％以内の領域に形成されることが好ましい。
【００５５】
この際、欠陥補正構造３３は、光学パターン３２のピーク部の頂点または谷部の頂点を非尖鋭化するための構造であって、サンドブラスティングまたはマイクロブラスティング加工などによって規則的または不規則的に形成される、図１３及び図１４のような微細凹凸または微細スクラッチ（図示せず）、バー（図示せず）のうちいずれか１つを用いて形成されることができる。
【００５６】
このように、欠陥補正構造３３が光学パターン３２に形成された本実施例による光学フィルム３０は、光学パターン３２を構成するピーク部の周辺領域が鋭くないように形成されるので、光学フィルム３０の製造工程と保管管理過程及び照明装置の構成のための他の光学部品との結合工程などにおいて他の光学部品との接触が発生しても、スクラッチなどの光学的欠陥が発生しないようになる。
【００５７】
また、光学フィルム３０に傷付けやスクラッチなどの光学的欠陥が発生しても、光学パターン３２の不規則な構造及び欠陥補正構造３３での拡散及び散乱作用によって光学的欠陥が目視で確認されない。
【００５８】
また、前述のような第１実施例と同様に、光学パターン３２の規則的な構造的要素を完全に排除し、モアレ現象の発生を防止すると共に、視野角が拡大される。
【００５９】
一方、図１５は、本発明の第４実施例による光学フィルムの斜視図であり、図１６は、図１５に示された光学フィルムの正断面図である。
【００６０】
図示のように、第４実施例による光学フィルム４０は、前述のような第１実施例による光学フィルム１０と同様に、ベース４１と、ベース４１の一面に形成された光学パターン４２とを含む。また、本実施例による光学フィルム４０は、マイクロレンズパターン４４をさらに含む。
【００６１】
マイクロレンズパターン４４は、上向き突出された凸レンズ形態（エムボシング形態）、すなわち平面投映時に円形状を有し、互いに所定の間隔をもって分布している。
【００６２】
このマイクロレンズパターン４４は、ベース４１の下部、すなわち光学パターン４２の下部領域に形成されるものであって、各マイクロレンズパターン４４に対応する光学パターン４２は、マイクロレンズパターン４４の凸状構造によってエムボシング形態で突出される。
【００６３】
ここで、マイクロレンズパターン４４は、図示していないが、凹設された構造、または突出と凹設の複合的な構造で形成されることができる。また、マイクロレンズパターン４４の突出半径と間隔及び高さ（凹設構造では深さ）は、一定に形成されてもよく、不規則に形成されてもよい。
【００６４】
また、マイクロレンズパターン４４は、平面投映時に、前述のような円形の構造以外に、楕円形または多角形で形成されてもよく、円形、楕円形及び多角形の構造が複合的に形成されてもよい。
【００６５】
また、マイクロレンズパターン４４の上部に形成される光学パターン４２は、前述のような第２実施例による光学フィルム２０の光学パターン２２の形状、すなわち不規則な円弧状断面構造が不規則に線形配列された構造を有することができる。
【００６６】
また、前述のような第３実施例による光学フィルム３０のパターン３２上に形成された欠陥補正構造３３が、本実施例による光学フィルム４０の光学パターン４２上に形成されることができることは勿論である。
【００６７】
このようなマイクロレンズパターン４４の構造と不規則な光学パターン４２の構造を含む第４実施例による光学フィルム４０は、入射光がマイクロレンズパターン４４で散乱され、光学パターン４２で集光屈折及び散乱されることによって、隣接する光学部品との光学的結合時に発生し得る浸潤現象を防止すると共に、前述のようなモアレ防止及び視野角の拡大効果を提供する。
【００６８】
また、光の散乱によって光学フィルム４０に形成されたスクラッチまたは光学フィルム４０に存在する異物などは、目視で観察されない。
【００６９】
一方、図１７は、本発明の第５実施例による光学フィルムの正断面図である。図示したように、第５実施例による光学フィルム５０は、前述のような第１実施例による光学フィルム１０に形成された光学パターン１２と類似な、不規則な構造を有する光学パターン５２を含んでいる。
【００７０】
一方、第５実施例による光学フィルム５０は、光学パターン５２が形成されていないベース５１の裏面に形成され、入射光に対して光学的散乱作用を誘導する散乱パターン５４をさらに含む。
【００７１】
散乱パターン５４は、部分円弧状の光学的断面で形成され、平面投映時に、円形に形成される部分球形状（エムボシング形状）からなり、ベース５１の平面から見るとき、多数の散乱パターン５４は、一定の間隔または不規則な間隔をもって分布している。
【００７２】
この散乱パターン５４は、ベース５１の裏面から内側に凹設される構造で形成されてもよく、ベース５１の外側に突出される構造で形成されてもよい。勿論、突出された構造の散乱パターン５４と凹設された構造の散乱パターン５４が一緒に形成されてもよい。
【００７３】
また、散乱パターン５４の断面形状は、前述のような部分円弧状の光学的断面形状以外にも、三角形断面形状や多角断面形状など入射光を散乱させることができる条件の下で多様な断面構造で形成されてもよい。
【００７４】
また、第５実施例のように、光学フィルム５０のベース５１の裏面に散乱パターン５４を含む構成は、前述のような第２実施例及び第３実施例による光学フィルム及び第４実施例による光学フィルム４０（図１８参照）にも適用されることができることは勿論である。
【００７５】
このような構造の散乱パターン５０を含む第５実施例による光学フィルム５０は、入射光が散乱パターン５４で散乱され、光学パターン５２で集光屈折及びさらに散乱されることによって、光の散乱によって光学フィルム５０に存在するスクラッチや異物などが目視で観察されないようにし、前述のようなモアレ現象発生の防止及び視野角の拡大効果を提供する。
【００７６】
図１９乃至図２１は、本発明の第６実施例による光学フィルムの部分斜視図である。図示したように、本第６実施例による光学フィルム６０は、前述のような第１実施例による光学フィルム１０の光学パターン１２と類似の構造を有する光学パターン６２を含んでいる。
【００７７】
本実施例による光学フィルム６０は、入射光に対して光学的拡散作用を誘導する拡散構造をさらに含む。
【００７８】
拡散構造は、ベース６１内に分散され、入射光に対して光学的拡散作用を誘導する多数の拡散粒子６５−１であることがある。
【００７９】
拡散粒子６５−１は、透明固体粒子として、アクリル粒子、スチレン粒子、シリコン粒子、合成シリカ、ガラスビーズ、ダイヤモンドのうちいずれか１つが使用されるか、白色粒子として、酸化チタニウム、酸化亜鉛、硫酸バリウム、炭酸カルシウム、炭酸マグネシウム、水酸化アルミニウム、クレイのうちいずれか１つを使用することができ；気泡形態の多数の空気粒子であってもよい。
【００８０】
この際、拡散粒子６５−１がベース６１の原材料に含まれた状態で光学フィルム６０を成形することによって、図１９のように、光学フィルム６０内に拡散粒子６５−１が全体的に分布するようにすることができる。
【００８１】
これとは異なって、他の拡散構造として、拡散粒子６５−１を含む拡散粒子層６５が利用されることができる。
【００８２】
図２０のように、光学フィルム６０のベース６１を板状の第１光学層６１−１と光学パターン６２が形成される第２光学層６１−２の積層構造とし、第１光学層６１−１と第２光学層６１−２との間に拡散粒子６５−１を含む拡散粒子層６５が介在される。
【００８３】
この際、第１光学層６１−１と第２光学層６１−２が接着層によって互いに接着されるようにし、且つこの接着層内に拡散粒子６５−１を分散させることによって、接着層が拡散粒子層６５の機能を行うことができる。
【００８４】
また、拡散粒子６５−１が、図２１に示されたように、光学パターン６２内の一部領域（好ましくは、ピーク部と谷部の表面領域）に分散されることによって、光の拡散を誘導し、光学パターン６２の構造的強度を補強することもできる。
【００８５】
また、光学フィルム６０に拡散粒子６５−１を分散させる構成は、図２２乃至図２４に示されたように、前述のような実施例の光学フィルム（例えば、図２２及び図２４の４０、図２３の５０）にも適用されることができることは勿論である。
【００８６】
このような拡散粒子６５−１または拡散粒子層６５及び不規則な構造の光学パターン６２を含む第６実施例による光学フィルム６０は、入射光が拡散粒子６５−１から拡散し、光学パターン６２で集光屈折及び散乱されることによって、広い視野角の範囲に出射されると共に、前述のようなモアレ現象発生の防止効果を提供する。
【００８７】
また、製造工程での不注意によって光学フィルム６０上にスクラッチ及びほこりなどの異物及びむらなどの光学的欠陥が発生しても、光の拡散及び散乱作用によって欠陥が目視で確認されない。したがって、作業性が向上し、製品不良率を低下させることができる。
【００８８】
このように、本発明による光学フィルムは、光学パターンの非直線非対称形の配列構造、パターン間のピッチ、ピーク部の高さ及び谷部の深さなど光学的構造のすべての要素を不規則に形成し、規則的な光学的構造を完全に排除することによって、光学フィルムとパネル素子の光学的結合状態で光学パターンとピクセル配列の結合がなされないので、モアレ現象が発生しない。
【００８９】
また、光学パターンの不規則な構造を含んでマイクロレンズと散乱パターン及び拡散粒子などの光学的要素などによって、光の拡散及び散乱作用を誘導し、視野角の増加と光学的欠陥が観察されないなどの光学的性能が顕著に向上する。
【００９０】
また、光学パターンに欠陥補正構造を追加し、拡散散乱特性と光学的欠陥が観察されない効果を倍加させることができる。
【００９１】
一方、このような本発明による光学フィルムは、光学パターンの不規則な光学的構造によって入射される光に対して拡散及び散乱と集光及び屈折などの光学的作用を誘導するものであって、拡散フィルムまたは導光フィルムや散乱フィルムと集光フィルムなど多様な形態の光学フィルムとして利用され、特にＬＣＤモニターやＬＣＤテレビなどの大型ディスプレイ装置を始めとして、小型ノートパソコンのＬＣＤモニターや携帯電話などのＬＣＤパネルなどの小型ディスプレイ装置などのバックライトユニットのような照明装置に光学部品として利用されることができる。
【００９２】
以上説明したような本発明は、モアレ現象の発生を基本的に防止すると共に、耐磨耗性が向上し、傷付け及びスクラッチなどの光学的欠陥が発生しても、目視で観察されず、浸潤現象を防止することができると共に、視野角を拡大することができる光学フィルムを提供することができる。
【００９３】
一方、本発明は、前述した各実施例による光学フィルムを含む照明装置を提供することができる。
【００９４】
すなわち、照明装置は、面光源と、該面光源の上部領域に設けられるパネルと、面光源とパネルとの間に配置され、面光源から伝達される光をパネルに集光屈折させる光学フィルムとを含む。照明装置を構成する光学フィルムとしては、上述した各実施例による光学フィルムを利用する。
【００９５】
以上で説明した本発明の好ましい実施例は、例示の目的のために開示されたものであって、本発明に対する通常の知識を有する当業者なら本発明の思想と範囲内で多様な修正、変更、付加が可能であり、このような修正、変更及び付加は、下記の特許請求範囲に属するものと解すべきである。
【符号の説明】
【００９６】
１０  光学フィルム
１１  ベース
１２  光学パターン
【図１】
0005688801.tif 000002
【図２】
0005688801.tif 000003
【図３】
0005688801.tif 000004
【図４】
0005688801.tif 000005
【図５】
0005688801.tif 000006
【図６】
0005688801.tif 000007
【図７】
0005688801.tif 000008
【図８】
0005688801.tif 000009
【図９】
0005688801.tif 000010
【図１０】
0005688801.tif 000011
【図１１】
0005688801.tif 000012
【図１２】
0005688801.tif 000013
【図１３】
0005688801.tif 000014
【図１４】
0005688801.tif 000015
【図１５】
0005688801.tif 000016
【図１６】
0005688801.tif 000017
【図１７】
0005688801.tif 000018
【図１８】
0005688801.tif 000019
【図１９】
0005688801.tif 000020
【図２０】
0005688801.tif 000021
【図２１】
0005688801.tif 000022
【図２２】
0005688801.tif 000023
【図２３】
0005688801.tif 000024
【図２４】
0005688801.tif 000025